(57)【特許請求の範囲】
【請求項１】
区分された各エリア毎に、該エリアに割り当てられた電子スタンプを送信する基地局が設けられ、
携帯端末がエリア内に移動したとき、該エリアの該基地局から該携帯端末宛てに該エリアに割り当てられた電子スタンプが送信され、該携帯端末は送信された該電子スタンプを受信して保持し、
該携帯端末は、保持した電子スタンプをもとに、該電子スタンプを送信した該エリア内での情報の配信サービスを受けることができるようにしたことを特徴とする情報配信サービスシステム。
【請求項２】
請求項１において、
前記基地局は、前記電子スタンプとともに、その送信時の日時情報も送信し、前記携帯端末は、前記電子スタンプとともに、該日時情報も受信して保持し、
該携帯端末が同じエリアに複数日続けて存在しても、該日時情報を基に日にちが異なることを確認すると、該基地局は、該携帯端末宛てに同じ電子スタンプと現在の日時情報とを送信することを特徴とする情報配信サービスシステム。
【請求項３】
請求項１または２において、
前記携帯端末は一定時間毎に位置情報を送信し、
該位置情報を受信した前記基地局を判定することにより、前記携帯端末の位置を確認するとともに、前記携帯端末が新たな前記エリアに移動したことを確認すると、該新たなエリアでの前記基地局に前記携帯端末宛の前記電子スタンプの送信を指示する管理センタを有することを特徴とする情報配信サービスシステム。
【請求項４】
区分された各エリア毎に、該エリアに割り当てられた電子スタンプを送信する基地局が設けられ、携帯端末がエリア内に移動したとき、該エリアの該基地局から該携帯端末宛てに該エリアに割り当てられた電子スタンプが送信され、該携帯端末は送信された該電子スタンプを受信して保持するようにした情報配信サービスシステムに用いられる情報配信サーバであって、
該エリア毎のエリア内情報が格納されており、
該携帯端末から該電子スタンプが送られてくると、該電子スタンプに該当する該エリア内情報を該携帯端末に送信し、情報の配信サービスを行なうことを特徴とする情報配信サーバ。
【請求項５】
請求項４において、
前記エリア内情報は、概略的な内容のサブ情報と詳細な内容の詳細情報とからなり、
前記携帯端末から前記電子スタンプが送られてくると、前記電子スタンプに該当する前記エリア内情報の該サブ情報を前記携帯端末に送信し、前記携帯端末のさらなる要求により、該サブ情報に該当する該詳細情報を前記携帯端末に送信することを特徴とする情報配信サーバ。
【請求項６】
請求項４または５において、
前記携帯端末から前記電子スタンプとアルバム作成要求が送られてくると、前記電子スタンプに該当する前記エリア内情報からアルバムを作成し、前記携帯端末に送信することを特徴とする情報配信サーバ。
【発明の詳細な説明】
【０００１】
【発明の属する技術分野】
本発明は、旅行などの情報をユーザに提供する情報配信サービスシステムとこれに用いる情報配信サーバに関する。
【０００２】
【従来の技術】
旅行をする場合、旅行者は、予め旅行雑誌や旅行会社の案内などの刊行物などを参考にして、旅行の目的地や見物するための経路などの旅行プランを立てる。旅行プランを立てる場合には、旅行会社と相談する場合もある。そして、旅行するときには、一応この旅行プランに従って行動し、色んなところを見物したり、写真を撮ったり、食事をしたり、宿泊したりする。そして、旅行が終わって帰宅すると、カメラで採った風景や建造物などの写真でこの旅行のアルバムを作成する。
【０００３】
【発明が解決しようとする課題】
しかしながら、以上のようにして旅行プランを立てても、現地に行く前に得られる情報から現地での情報を全て知るようにすることは、一般に、難しい。即ち、現地に行かないと得られない情報もあるものである。しかも、このような情報は、現地に行っても、旅行者が気が付かず、旅行後に知って知るようなこともある。
【０００４】
また、旅行中、観光ポイントなど各所で記念写真などを撮るが、もっと良い処を撮り損なったりする場合もあるし、また、有名な名所旧跡であっても、旅行プランにないため、有名な名所旧跡であることに気が付かずに通り過ぎてしまう場合もある。旅行後そこが名所旧跡と気が付いても、写真もないため、アルバムに乗せることができない。
【０００５】
本発明の目的は、かかる問題を解消し、現地でしか得られない情報を的確に得ることができるようにした情報配信サービスシステムとこれに用いる情報配信サーバを提供することにある。
【０００６】
【課題を解決するための手段】
上記目的を達成するために、本発明による情報配信サービスシステムは、区分された各エリア毎に、該エリアに割り当てられた電子スタンプを送信する基地局が設けられ、携帯端末がエリア内に移動したとき、該エリアの該基地局から該携帯端末宛てに該エリアに割り当てられた電子スタンプが送信され、該携帯端末は送信された該電子スタンプを受信して保持し、該携帯端末は、保持した電子スタンプを基に、該電子スタンプを送信した該エリア内での情報の配信サービスを受けることができるようにした構成とする。
【０００７】
そして、基地局は、電子スタンプとともに、その送信時の日時情報も送信し、携帯端末は、電子スタンプとともに、該日時情報も受信して保持し、携帯端末が同じエリアに複数日続けて存在しても、日時情報を基に日にちが異なることを確認すると、基地局は、携帯端末宛てに同じ電子スタンプと現在の日時情報とを送信するものである。
【０００８】
また、携帯端末は一定時間毎に位置情報を送信し、位置情報を受信した基地局を判定することにより、携帯端末の位置を確認するとともに、携帯端末が新たなエリアに移動したことを確認すると、この新たなエリアでの基地局に携帯端末宛ての電子スタンプの送信を指示する管理センタを有する構成とする。
【０００９】
上記目的を達成するために、本発明は、区分された各エリア毎に、エリアに割り当てられた電子スタンプを送信する基地局が設けられ、携帯端末がエリア内に移動したとき、このエリアの基地局から携帯端末宛てにこのエリアに割り当てられた電子スタンプが送信され、携帯端末は送信された電子スタンプを受信して保持するようにした情報配信サービスシステムに用いられる情報配信サーバであって、エリア毎のエリア内情報が格納されており、携帯端末から電子スタンプが送られてくると、電子スタンプに該当するエリア内情報をこの携帯端末に送信し、情報の配信サービスを行なう構成とする。
【００１０】
そして、エリア内情報は、概略的な内容のサブ情報と詳細な内容の詳細情報とからなり、携帯端末から電子スタンプが送られてくると、電子スタンプに該当するエリア内情報のサブ情報を携帯端末に送信し、携帯端末のさらなる要求により、サブ情報に該当する詳細情報を携帯端末に送信するようにする。
【００１１】
また、携帯端末から電子スタンプとアルバム作成要求が送られてくると、電子スタンプに該当するエリア内情報からアルバムを作成し、携帯端末に送信するようにする。
【００１２】
【発明の実施の形態】
以下、本発明の実施形態を図面により説明する。
図１は本発明による情報配信サービスシステムの一実施形態を示す構成図であって、１は携帯端末、２は管理センタ、３ａ〜３ｃは基地局、４は情報配信サーバ、５は通信ネットワークである。
以下では、旅行情報をサービスするシステムとして説明するが、本発明は、これのみに限定されるものではない。
【００１３】
図１において、この実施形態のシステムは、例えば、全国あるいは各観光地を半径１ｋｍ程度のエリアに区分し、携帯端末が或るエリアに入ると、そのエリア特有の電子スタンプなどをこの携帯端末に提供し、携帯端末側では、この提供された電子スタンプを用いることにより、そのエリアに関するサブ情報や詳細情報のサービスを受けることができるようにするものである。ここでは、図示するように、携帯端末１を携帯するユーザ（旅行者）Ｕが３つのエリアＡ〜Ｃ内を移動するものとして、この実施形態を説明する。
【００１４】
設定された各エリアには夫々、基地局が設けられており、これらが管理センタと連携されている。即ち、エリアＡには基地局３ａが、エリアＢには基地局３ｂが、エリアＣには基地局３ｃが夫々も受けられており、これら基地局３ａ〜３ｃが管理センタ２と連携している。各基地局３ａ〜３ｃは夫々、それが設けられているエリアＡ〜Ｃ特有の電子スタンプと現時点の日時情報とを携帯端末１に配信する機能を有している。ここで、基地局３ａが配信する電子スタンプを電子スタンプＡとし、基地局３ｂ，３ｃが配信する電子スタンプを夫々電子スタンプＢ，Ｃとする。また、また、管理センタ２は、これら基地局３ａ〜３ｃを介して携帯端末１が現在存在するエリアを検出し、これが或るエリア（例えば、エリアＢ）で検出されると、そのエリアＢの基地局３ｂにそのエリアＢでの電子スタンプＢと日時情報とを携帯端末１に配信するように指示する。
【００１５】
このようにして、携帯端末１に電子スタンプＢと日時情報とが記憶されると、その後、携帯端末１からインターネットなどの通信ネットワーク５を介して情報配信サーバ４にこれら電子スタンプＢと日時情報とを送り、この情報配信サーバ４に情報のサービスを要求すると、情報配信サーバ４は、この電子スタンプＢが配信されたエリアＢの中でしか入手できない情報（例えば、名所旧跡や土産物，お祭りなどの催し物，宿泊施設などであって、以下、エリア内情報という）の概略や詳細（以下、夫々をサブ情報，詳細情報という）を、通信ネットワーク５を介して、携帯端末１に提供する。また、エリアＢ内で行なわれるお祭りや展示会などの催し物は、日にちや期日，時間，情報の数などによって限定されるものであるが、電子スタンプＢに付随して受信される日時情報により、その日時に行なわれた催し物などのエリア内情報が携帯端末１に提供される。
【００１６】
次に、携帯端末１を携帯したユーザＵがエリアＢ，Ａ，Ｃの順に移動して旅行した場合の、携帯端末１，基地局３ａ〜３ｃ，管理センタ２及び情報配信サーバ４の動作について、図２に示すフローチャートを用いて説明する。
【００１７】
ここでは、ユーザＵが図示しない旅行会社に旅行プランの作成を依頼し、このプランに従って旅行するものとし、携帯端末１は旅行会社からユーザＵに貸し付けられるものとする。また、ここでは、情報配信サーバ４は、旅行するユーザＵに提供する各エリアＡ〜Ｃのエリア内情報を格納した旅行会社所有のものであって、作成した旅行プランをもとに、ユーザＵが通るエリアに関連するこれら情報を取得して保存して置くものである。
【００１８】
図１及び図２において、管理センタ２は、各エリアＡ〜Ｃ毎に、それらの基地局３ａ〜３ｃを介してどのような携帯端末が存在しているかを管理している。この管理方法としては、例えば、携帯電話システムのように、管理センタ２が制御チャンネルを用いて基地局から呼出し信号などの制御信号を一定時間間隔で送信し、或るエリアに存在する携帯端末１は、これを受信すると、これに応答して位置情報（応答信号）を発信し、この位置情報をこのエリアの基地局を介して管理センタ２が受信するのであるが、管理センタ２は、この受信した位置情報を送ってきた基地局からこの位置情報を発信した携帯端末が存在するエリアを検出することができる。
【００１９】
そこで、いま、電源オンの状態の携帯端末１を携帯したユーザＵがエリアＢに入ると、携帯端末１は、基地局３ｂからの呼出し信号に応答して、位置情報を発信する（ステップ（イ））。これを基地局３ｂを介して受信することにより、管理センタ２が、この携帯端末がエリアＢ内に在ると判定し（ステップ（ロ））、基地局３ｂに電子ステップＢの配信を指示する（ステップ（ハ））。この指示に基づいて、基地局３ｂは、この携帯端末１宛てに電子スタンプＢとその時の日時を表わす日時情報とを送信する（ステップ（ニ））。この携帯端末１は、これら電子スタンプＢと日時情報とを受信して記録保存する（ステップ（ホ））。
【００２０】
ここで、管理センタ２は、この携帯端末１の位置（即ち、どのエリアに存在するか）を検出して監視しているが、基地局に電子スタンプの配信の指示をしたエリアに存在する限り、この携帯端末１への再度の配信指示は行なわない。但し、携帯端末が同じエリアに存在していても、日付が替わった場合には（即ち、翌日になった場合には）、再度同じ基地局にこの携帯端末１宛ての配信の指示を行なう。
【００２１】
その後、ユーザＵがエリアＢからエリアＡに移動すると（ステップ（ヘ））、エリアＢのときと同様に、携帯端末１からの移動情報をこのエリアＡの基地局３ａが受信し（ステップ（ト））、これを管理センタ２に送ることにより、管理センタ２は携帯端末１がエリアＡに入ったことを確認し（ステップ（チ））、基地局３ａに、このエリアＡの電子スタンプＡとこのときの日時情報とを携帯端末１に配信するように、指示する（ステップ（リ））。そこで、基地局３ａはかかる情報を携帯端末１に送信し（ステップ（ヌ））、携帯端末１はこれを受信して記憶する（ステップ（ル））。
【００２２】
その後、さらに、ユーザＵがエリアＡからエリアＣに移動すると（ステップ（オ））、エリアＡのときと同様に、携帯端末１からの移動情報をこのエリアＣの基地局３ｃが受信し（ステップ（ワ））、これを管理センタ２に送ることにより、管理センタ２は携帯端末１がエリアＣに入ったことを確認し（ステップ（カ））、基地局３ｃに、このエリアＣの電子スタンプＣとこのときの日時情報とを携帯端末１に配信するように、指示する（ステップ（ヨ））。そこで、基地局３ｃはかかる情報を携帯端末１に送信し（ステップ（タ））、携帯端末１はこれを受信して記憶する（ステップ（レ））。
【００２３】
このようにして、ユーザＵがエリアＢからエリアＡへと移動し、さらに、エリアＣへと移動すると、携帯端末１には、電子スタンプＢ，Ａ，Ｃとそれらを受信したときの日時情報とが記録保存されていることになる。そこで、旅行が終わって帰宅した後、記録保存されているこれら電子スタンプＢ，Ａ，Ｃの全部または一部とそれらの日時情報とを、通信ネットワーク５を介し、情報配信サーバ４に送ってエリア内情報のサービスを要求すると（ステップ（ソ））、この情報配信サーバ４からは上記電子スタンプ及び日時情報によって要求されるエリアのエリア内情報のサブ情報や詳細情報が、通信ネットワーク５を介し、携帯端末１に送られて表示される（ステップ（ツ））。
【００２４】
このようにして、旅行した各エリアＡ〜Ｃでは、そこに入り込むと自動的に電子スタンプとその時の日時情報が配信されるものであり、旅行が終わって帰宅してから、旅行したエリアでのサブ情報や詳細情報を取得することができ、また、後述するように、情報配信サーバ４を用いてかかる旅行のアルバムを作成することもできる。
【００２５】
なお、このような電子スタンプが一旦配信されると、これが配信されたエリア内に居るときでも、当然この電子スタンプを用いて情報配信サーバ４からこのエリアのサーバ情報や詳細情報のサービスを受けることができる。
【００２６】
図２はユーザＵが異なるエリアＢ，Ａ，Ｃと順次移動する場合であったが、次に、図３により、ユーザＵがエリアＢからエリアＡに移り、しかる後、エリアＢに戻る場合について説明する。これは、例えば、エリアＢのホテルを利用する場合などに相当するものである。
【００２７】
図１および図３において、まず、エリアＢに移動し、しかる後、エリアＢからエリアＡに移動してエリアＢ，Ａの電子スタンプＢ，Ａとそれらの日時情報とを携帯端末１に記録保存するステップ（ル）までは図２の場合と同様である。
【００２８】
エリアＡ内の移動後、このエリアＡからエリアＢに戻ると(ステップ(オ)'）、この携帯端末１から発信されて基地局３ｂが受信する位置情報をもとに（ステップ(イ)'）、管理センタ２は携帯端末１がエリアＢに入ったことを確認する（ステップ（ロ)’）。このとき、管理センタ２は、このエリアＢに入った携帯端末１から取得した位置情報の前に、エリアＡにあるときのこの携帯端末１への電子スタンプＡの配信の指示を行なっているので、この携帯端末１がエリアＡからエリアＢへ戻ってきたものと判定し、この場合には、このエリアＢの基地局３ｂにこのエリアＢの電子スタンプＢを配信するように指示する(ステップ（ハ)’）。これにより、基地局３ｂは電子スタンプＢとそのときの日時情報とをこの携帯端末１宛てに送信し（ステップ（ニ)’）、携帯端末１はこれらを受信して記録保存する（ステップ（ホ)’）。
【００２９】
このようにして、エリアＢに戻ると、携帯端末１には、同じエリアＢの電子スタンプＢが２度記録保存されるが、これら電子スタンプＢの日時情報は異なっており、これにより、この同じエリアＢでも、日時情報での時刻の違いにより、情報配信サーバ４からサービスされるエリア内情報のサブ情報や詳細情報が異なる場合がある。
【００３０】
次に、図４により、ユーザＵが複数日（例えば、三日間）同じエリアＢ内を旅行する場合のこの実施形態の動作について説明する。これは、例えば、エリアＢ内のホテルに宿泊し、三日間このエリアＢ内に滞在する場合に相当する。
【００３１】
図１及び図４において、まず、第１日目のエリアＢに移動してエリアＢの電子スタンプＢとその日時情報とを携帯端末１に記録保存するステップ（ホ）までは図２の場合と同様である。
【００３２】
第２日目も、エリアＢ内で携帯端末１の電源をオンすると、上記と同様、携帯端末１から位置情報が基地局３ｂに送信され（ステップ（イ)’）、基地局３ｂを介してこれを管理センタ２が受信する。このとき、管理センタ２は、前日（第１日目）にこの携帯端末１に同じエリアＢの電子スタンプＢと日時情報とを配信する指令を行なっているが、この既に配信した日時情報の日付と携帯端末１から位置情報を受信した現在の日付とが異なることから、この携帯端末１が新たにこのエリアＢに入り込んできたものと同等と見なし（ステップ（ロ)’）、このエリアＢの基地局３ｂにこのエリアＢの電子スタンプＢを配信するように指示する（ステップ（ハ)’）。これにより、基地局３ｂは電子スタンプＢとそのときの日時情報とをこの携帯端末１宛てに送信し（ステップ（ニ)’）、携帯端末１はこれらを受信して記録保存する（ステップ（ホ)’）。
【００３３】
第３日目も同じエリアＢに滞在する場合には、上記のステップ(イ)’〜(ニ)’と同様のステップ（イ)”〜（ニ)”の処理がなされ、携帯端末１は再びこのエリアＢの電子スタンプＢとこのときの日時情報とを受信して記録保存する（ステップ（ホ)”）。
【００３４】
このようにして、日付が異なる場合には、同じ電子スタンプであっても、携帯端末１に重複して記録保存される。しかし、これら同じ電子スタンプとともに受信して記録される日時情報は異なるものであり、これにより、ユーザＵは、同じエリアに関するものであっても、日にちによってエリア内情報の異なるサブ情報や詳細情報を取得することができる。
【００３５】
図５は図２〜図４での、特に、管理センタ２での動作の一具体例を示すフローチャートである。
【００３６】
同図において、いま、図１でのエリアＡを例として説明すると、携帯端末１はエリアＡ内で一定時間間隔で位置情報を発信し始め（ステップ１００）、基地局３ｂはこの位置情報を順次受信する（ステップ１０１）。以上が、図２〜図４でのステップ（イ）に相当する。管理センタ２は、この順次受信される位置情報を取り込んで、携帯端末１がエリアＡに入ってきたものかどうかの確認（図２〜図４でのステップ（ロ），（ハ）に相当）を行なう。
【００３７】
即ち、管理センタ２は、取り込んだこれら位置情報が基地局３ｂで受信されたものであることから、携帯端末１がエリアＡ内にあることを確認し、このエリアＡを表わす情報（例えば、エリア毎に設定されている番号などのエリア指示情報）を生成する（ステップ１０２）。また、管理センタ２には、各携帯端末について、前回存在したエリアを表わすエリア指示情報（これを、以下、前回のエリア指示情報という。これに対し、今回受信した位置情報から生成したエリア指示情報を今回のエリア指示情報という）を記憶するメモリが設けられており、かかるメモリの前回のエリア指示情報と今回のエリア指示情報とが一致するかどうかを判定することにより、この携帯端末１が新たにエリアＡに入り込んできたものか、あるいはこのエリアＡ内に在り続けているのかを判定する（ステップ１０３）。携帯端末１が新たにエリアＡに入り込んで最初に受信する位置情報による今回のエリア指示情報は、前回のエリア指示情報（即ち、他のエリア内にあることを示すエリア指示情報）と異なるものであるから、このエリアＡの電子スタンプＡとこのときの日時情報とを配信するように基地局３ｂに指示し（ステップ１０５）、また、メモリに記憶されているこの携帯端末１に関する前回のエリア指示情報とその日時情報とを今回のエリア指示情報とその日時情報とに書き替える（ステップ１０６）。
【００３８】
今回のエリア指示情報がメモリの前回のエリア指示情報と一致する場合には（ステップ１０３）、携帯端末１が同じエリアＡ内に存在し続けていることを表わしている。携帯端末がエリアＡに新たには入り込んだときに得られる今回のエリア指示情報は、上記のように、メモリの前回のエリア指示情報と異なるので、メモリに書き込まれるが、それ以降のエリアＡに存在し続ける間に携帯端末１から送信される位置情報による今回のエリア指示情報は、メモリに記憶されているこのエリアＡに関する前回のエリア指示情報と同じである。
【００３９】
そして、このように、今回のエリア指示情報とメモリに記憶されている前回のエリア指示情報とが一致する場合には、さらに、これらエリア指示情報に対する日時情報を比較し（ステップ１０４）、これらの日付が一致しないときには、図４で説明したように、携帯端末１が翌日も同じエリアＡに存在していることになり、基地局３ｂに電子スタンプなどの配信を指令するとともに、メモリで今回のエリア指示情報とその日時情報に書き替えるが、日付までも一致する場合には、この今回のエリア指示情報やその日時情報を無視する。
【００４０】
このようにして、メモリでは、携帯端末１が別のエリアに移動する毎に、また、同じエリア内に在っても、日にちが替わる毎に、今回のエリア指示情報とその日時情報とに書き替えられるものであり、これにより、携帯端末１の現在位置を判定できて基地局に電子スタンプと日時情報を配信するか否かの指令を送ることができる。
【００４１】
以上のようにして、管理センタ２から指令があると（ステップ１０５）、基地局３ｂはエリアＡの電子スタンプＡとその日時情報とを携帯端末１宛てに送信し（ステップ１０７）、この携帯端末１は、これらを受信して（ステップ１０８）、それを表示画面に表示する（ステップ１０９）。
【００４２】
図６はこのように電子スタンプＡを受信したときに携帯端末１の表示画面に表示される情報の一具体例を摸式的に示す図である。
【００４３】
同図において、表示画面では、摸式的に丸で囲んだＡで示す電子スタンプＡとともに、例えば、「スタンプＡを受信！」というメッセージとともに、これを受信した場所（エリアＡ）と、日付，時刻の日時情報とが表示される。このようなメッセージや場所の情報は、管理センタ２からの電子スタンプＡの送信指令（ステップ１０５）とともに、基地局３ａから送られてきたものである。かかる受信の表示は、携帯端末１を操作しない限り、次の電子スタンプが受信されるまで行なわれるようにしてもよいし、また、一定時間経過すると、消えるようにしてもよい。但し、この一定時間内に新たな電子スタンプの受信があると、この新たな電子スタンプに関して図示する表示がなされる。
【００４４】
また、図７は図１で、例えば、ユーザＵが旅行から返ってきて、電子スタンプや日時情報を用いて情報配信サーバ４に情報を要求した場合（図２〜図４でのステップ（ソ））のこの情報配信サーバ４から配信されて携帯端末１に表示される情報の一具体例を示す図である。
【００４５】
いま、携帯端末１で情報配信サーバ４に情報を要求するための所定の前操作を行なうと、携帯端末１に記録されている電子スタンプとその日時情報とが携帯端末１から通信ネットワーク５を介して情報配信サーバ４に送られる。情報配信サーバ４は、この電子スタンプと日時情報とに基づいて情報提供のためのメニュー画面を作成し、これを通信ネットワーク５を介して携帯端末１に送る。
【００４６】
図７（ａ）は携帯端末１で受信されて表示されるこのメニュー画面６の一具体例を示す図である。このメニュー画面６には、例えば、ユーザＵが旅行で移動した経路を表わす地図６ａと取得した電子スタンプ６ｂ（日時情報も含む）が表示される。電子スタンプ６ｂは取得した順に上から下方に配列されて示され、また、地図６ａには、経路がエリア単位で日時とともに表示される。ここでは、エリアＢ，Ａ，Ｃ，……の順に移動したものとしており、これとともに、エリアＢへ移動した日時が２００２年８月２０日午前９時であり、次に、エリアＡに移動した日時が２００２年８月２０日午前１１時１５分であるというように、日時が表示されている。このように、旅行経路を示す地図６ａも表示されるから、電子スタンプ６ｂとそれを取得した場所との対応を簡単に知ることができる。
【００４７】
いま、かかるメニュー画面６において、エリアＡのエリア内情報を見たいものとすると、電子スタンプ６ｂのうち「電子スタンプＡ」の表示部分をクリックし、さらに、このメニュー画面６に表示される「選択」キー６ｃをクリックすればよい。これにより、携帯端末１でエリアＡのエリア内情報を情報配信サーバ４に要求したことになる。この要求は通信ネットワーク５を介して情報配信サーバ４に送られる。この要求に応じて、情報配信サーバ４は、エリアＡのエリア内情報のうち、まず、そのサブ情報を通信ネットワーク５を介して携帯端末１に送信する。これを受信した携帯端末１では、図７（ｂ）に示すようなサブ情報７が表示される。
【００４８】
このサブ情報の画面７はこのエリアＡを概略的に紹介したものであって、そこには、まず、初期画面として、このエリアＡでの代表的な画像７ａとその地名７ｂが表示される。また、この画面７では、「観光ポイント」８，「食事処」９，「土産屋」１０などといったメニュー毎のタグが表示されており、それらのいずれかをクリックすることにより、いずれかのメニューを選択できるようにしている。また、選択されているメニューについては、さらに、そのサブメニューを選択できるタグ１１ａ，１１ｂ，１１ｃが設けられている。ここでは、初期画面として、メニュー「観光ポイント」のタグ８が選択されており、これにより、このメニュー「観光ポイント」での「海」，「山」，「高原」などといったサブメニューのタグ１１ａ，１１ｂ，１１ｃが表示されている。ここでは、初期画面での代表的なサブ情報として、メニュー「観光ポイント」８のサブメニュー「海」のタグ１１ａが選択されていて、その海のうちの代表的な１つの地点での写真などの画像７ａが表示されている。
【００４９】
観光ポイントとしての海が複数ある場合には、サブメニューのタグ１１ａを繰り返しクリックすることにより、それら海の写真が画像７ａとして順番に表示されることになる。また、サブメニュー「山」のタグ１１ｂをクリックすると、観光ポイントとなる山の写真が画像７ａとして表示され、サブメニュー「高原」のタグ１１ｃをクリックすると、高原について同様の画像表示が行なわれる。
【００５０】
また、メニュー「食事処」のタグ９をクリックすると、サブメニュー１１ａ，１１ｂ，……としては、紹介したい個々の食事処が写真の画像７ａで表示されて選択できるようにし、また、メニュー「土産屋」１０についても同様である。
【００５１】
そして、画面７には、「詳細」キー１２が表示されており、これをクリックすると、このとき画像７ａが表示されているものについての詳細情報の要求情報が携帯端末１から通信ネットワーク５を介して情報配信サーバ４（図１）に送られ、これに基づいてその詳細情報を情報配信サーバ４が通信ネットワーク５を介して携帯端末１に配信する。この詳細情報としては、例えば、ある食事処が選択されていてその画像７ａが表示されているときには、その土産屋の所在地（最寄り駅からの道順），開店時間，出し物，設備などを詳細に説明したものである。
【００５２】
以上の図７で説明した動作は、図２〜図４でのステップ（ソ），（ツ）の手順に対応するものである。
【００５３】
なお、図７に示すようなエリア内情報の配信表示は、帰宅してからばかりでなく、旅行中であっても、取得した電子スタンプについて可能であることはいうまでもない。従って、例えば、図１において、エリアＢに移動すると、電子スタンプＢとそのときの日時情報を取得することができるが、図６に示したような電子スタンプＢの取得画面を確認後、直ちにかかる電子スタンプＢと日時情報により、エリアＢのエリア内情報の配信を情報配信サーバ４から受けることができる。これにより、例えば、観光ポイントを確認したり、食事処を探したりすることができる。従って、旅行プランになかった情報も現地で得ることができ、例えば、気が付かなかった観光ポイントを見ることができたり、より好みに合った食事処で食事をしたり、新たな土産物店に気が付いたりすることができる。
【００５４】
情報配信サーバ４に格納されているエリア内情報を用いて報告書やアルバムなどを作成することができる。これを図８を用いて説明する。
【００５５】
いま、携帯端末１で書類作成のための所定の要求操作を行なうと、上記のようにして、この要求により、情報配信サーバ４からテンプレート画面情報が配信されて、携帯端末１に図１３（ａ）に示すようなテンプレート画面１３が表示される。また、この画面１３には、「報告書Ａ」，「報告書Ｂ」，「観光Ａ」，……といった書類毎のタグ１４ａ，１４ｂ，１４ｃ，……が表示され、これにより、必要な書式に合ったテンプレートを選択できるようにしている。テンプレート画面１３には、選択された書類のテンプレートが表示され、初期画面では、例えば、「報告書Ａ」に対するテンプレートが表示されている。
【００５６】
かかるテンプレート画面１３で、いま、アルバムを作成するために、「観光Ａ」のタグ１４ｃをクリックしてアルバムのテンプレートを表示させる。なお、アルバムに関しても、種々のテンプレートを選択できるようになっており、夫々のテンプレートの画面も情報配信サーバ２から配信される。これを確認して「決定」キー１５をクリックすると、テンプレートの選択結果と携帯端末１に記憶されている各エリアの電子スタンプとその日時情報とが通信ネットワーク５を介して情報配信サーバ４に送られる。情報配信サーバ４では、携帯端末１から送られるこれら情報に基づいて、選択されたテンプレートに電子スタンプとその日時情報とで決まるエリア内情報を嵌め込んだアルバムが形成され、そのアルバム情報を通信ネットワーク５を介して携帯端末１に配信する。これを受信した携帯端末１では、図８（ｂ）に示すようなアルバムの画面１６が表示される。ここに表示されるアルバムは、上記のように、情報配信サーバ４で作成されたものである。
【００５７】
図８（ｂ）に示す画面には、また、「ページ」，「削除」，「変更」，「完成」などといったタグ１７ａ1，１７ａ2〜１７ｄが表示されており、「ページ」タグ１７ａ1をクリックする毎に表示されるアルバムのページが順方向にめくられ、「ページ」タグ１７ａ2をクリックする毎に表示されるアルバムのページが逆方向にめくられる。また、アルバムには、図示しないが、その所望の位置を指定する指定枠が設けられており、その指定枠を所定の位置に設定して「削除」タグ１７ｂをクリックすることにより、この所定の位置での情報を削除することができ、また、同様にして、「変更」タグ１７ｃをクリックすることにより、その指定枠で指定される部分が拡大された画像が情報配信サーバ４で作成されて図８（ｃ）に示すように表示され、その内容を変更することができる。この場合、画像（図７で説明したエリア内情報）１８は他の変更候補が表示され、そのうちのいずれかを選択して変更することができ、また、解説１９が付記されている場合には、その内容を形態端末１の操作で変更したり、付加，削除することができる。そして、このような変更の処理をした後、「ＯＫ」キーをクリックすると、図８（ｂ）に示すアルバムの画面１６に戻る。
【００５８】
情報配信サーバ４で作成されるアルバムは、携帯端末１から供給される電子スタンプや日時情報に該当するエリア内情報を用いて作成される。この場合に用いられるエリア内情報としては、各観光ポイント，各食事処，各土産屋，……の代表的な写真やその解説である。このため、ユーザにとっては不要となる情報もあり（例えば、行ってもいない観光ポイントや食事処などの情報）、このようなものは図８（ｂ）に示す画面で削除することができる。また、同じ観光ポイントであっても、色んな写真がある場合、図８（ｃ）で説明した変更操作を行なうことにより、より気に入った写真をアルバムに乗せるようにすることができる。このような削除や変更と行った編集を行なうことにより（なお、追加も行なうようにすることもできる）、より好ましいアルバムを作成することができる。
【００５９】
画面１６で表示されるアルバムを確認して「完成」キー１７ｄをクリックすると、情報配信サーバ４から提示されたアルバムに変更や削除などの編集がなければ、その旨を表わす情報が携帯端末１から通信ネットワークを介して情報配信サーバ４に送られ、この結果に基づいて情報配信サーバ４がアルバムを印刷作成する。また、情報配信サーバ４から提示されたアルバムに変更や削除などの編集があれば、携帯端末１からはその編集を指示する情報が情報配信サーバ４に送信され、情報配信サーバ４はこの情報に基づいてアルバムを編集して印刷作成したり、デジタルデータとしてユーザＵに送ったりすることができる。このようにして作成されたアルバムはユーザＵに配送され、また、情報配信サーバ４はこのユーザＵにアルバム代や配送料などの料金などを請求する。
【００６０】
また、報告書などについても同様であり、報告書が情報配信サーバ４で作成されることになる。
【００６１】
上記実施形態の一利用形態を、旅行の場合を例にして、図９及び図１０により説明する。
【００６２】
図９において、旅行会社・情報配信元２１は情報配信サーバ４の所有者であって、図１で示したような各エリア毎に、その現地情報提供元に情報の提供を呼び掛けることにより（ステップ▲１▼）、現地配信情報の収集を行なっている（ステップ▲２▼）。
【００６３】
ここで、現地配信情報３０は、図１０に示すように、各場所（エリア）Ａ，Ｂ，Ｃ，……での観光ポイント，食事処，土産屋，……といったジャンルのものであり、各ジャンルとも、その解説や画像の提供を受け、また、配信の制限（例えば、期日の制限や順番による制限など）があれば、その制限情報の提供を受ける。現地から提供を受けたかかる現地配信情報３０は、情報配信サーバ４に格納保存される。
【００６４】
図９において、いま、ユーザＵから旅行会社２１に旅行の申込みがあり（ステップ▲３▼）、これに基づいて、ユーザＵと旅行会社２１との間でプランの検討があり、旅行者プランが作成される（ステップ▲４▼）。かかる旅行者プラン４０としては、図１０に示すように、１日目，２日目，３日目，……の目的地や宿泊場所，交通経路などが決められる。かかる旅行者プラン４０は、情報配信サーバ４にも格納される。
【００６５】
図９において、このようにして旅行者プランが作成されると、この旅行者プランとともに、携帯端末１がこのユーザＵに貸し出される（ステップ▲５▼）。ユーザＵが旅行するときには、この貸し出された携帯端末１を携帯することにより、先に説明したように、電子スタンプやその日時情報を取得することができ、これらに基づくエリア内情報のサービスが提供されることになる。ステップ▲６▼以降は図２〜図４で説明した手順と同様であるので、その説明を省略する。なお、図１０での旅行者行動履歴（スタンプの記録）５０は、先に説明したように、旅行中に携帯端末１に記録される電子スタンプやその日時情報であり、旅行者プラン３０に従って旅行したときに得られるの電子スタンプやその日時情報を摸式的に示している。
【００６６】
なお、図１０においては、携帯端末１からの要求により、情報配信サーバ４からはエリア内情報が通信ネットワーク５を介し、さらに、無線通信で携帯端末１に送られるが、このとき、下り信号（サーバ４から携帯端末１への方向)に対しては伝送速度を高速とし、上り信号（携帯端末１からサーバ４への方向）に対しては伝送速度を低速とする制御を行なうＨＤＲ(High Date Rate)通信システム２２を用いており、情報量が多い情報配信サーバ４からのエリア内情報に対しては、高速で携帯端末１に送信するようにしている。これにより、ユーザＵは情報配信サーバ４からエリア内情報を迅速に入手できる。
【００６７】
【発明の効果】
以上説明したように、本発明による情報配信サービスシステムによれば、エリアに移動すると、自動的にこのエリアの電子スタンプや日時情報を取得することができるから、取得したこれら電子スタンプや日時情報を用いることにより、このエリアに居なければ得られないエリア内情報を、どこに居ても確実に入手することができるし、かかるエリア内情報を入手するための電子スタンプや日時情報の取得に一切手間がかからない。
【００６８】
また、本発明による配信サーバによると、携帯端末から送られてくる電子スタンプにより、携帯端末側で要求する情報の種類を明確に判別することができ、間違いなく要求する情報を携帯端末側に提供することができるし、また、携帯端末側からのアルバム作成要求に応じて、エリア内情報を用いてアルバムを作成するものであるから、携帯端末側のアルバム作成の負担を軽減することができる。
【図面の簡単な説明】
【図１】本発明による情報配信サービスシステムの一実施形態を示す正面図である。
【図２】図１に示した実施形態の動作形態の一具体例を示すフローチャートである。
【図３】図１に示した実施形態の動作形態の他の具体例を示すフローチャートである。
【図４】図１に示した実施形態の動作形態のさらに他の具体例を示すフローチャートである。
【図５】図１における情報配信サーバの動作の一具体例を示すフローチャートである。
【図６】図１における携帯端末で電子スタンプとその日時情報とを受信したときに表示される画面の一具体例を示す図である。
【図７】図１における情報配信サーバから配信されるメニュー画面及びサブ情報画面の一具体例を示す図である。
【図８】図１に示す実施携帯でのアムバムの作成工程の一具体例を示す図である。
【図９】図１に示した実施形態の利用形態の一具体例を示すフローチャートである。
【図１０】図９に示す具体例での現地配信情報や旅行者プラン，旅行者行動履歴の一具体例を説明するための図である。
【符号の説明】
Ｕ  ユーザ
１  携帯端末
２  管理センタ
３ａ〜３ｃ  基地局
４  情報配信サーバ
５  通信ネットワーク
６  メニュー画面
６ａ  地図
６ｂ  電子スタンプ
７  サブ情報の画面
７ａ  画像
７ｂ  地名
８〜１０，１１ａ〜１１ｃ  タグ
１２  「詳細」キー
１３  テンプレートの画面
１４ａ〜１４ｃ  タグ
１５  「決定」キー
１６  アルバムの画面
１７ａ1，１７ａ2，１７ｂ〜１７ｄ  タグ
１８  変更候補
１９  解説
２０  「ＯＫ」キー
３０  現地配信情報
４０  旅行者プラン
５０  旅行者行動履歴
【図１】
0004627930.tif 000002
【図２】
0004627930.tif 000003
【図３】
0004627930.tif 000004
【図４】
0004627930.tif 000005
【図５】
0004627930.tif 000006
【図６】
0004627930.tif 000007
【図７】
0004627930.tif 000008
【図８】
0004627930.tif 000009
【図９】
0004627930.tif 000010
【図１０】
0004627930.tif 000011